【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
単離ペプチドの集団を含む組成物であって、該集団が３種類以上のペプチドを含み、該集団内の各ペプチドが、
（ｉ）ＳＥＱ  ＩＤ  ＮＯ：３の配列もしくはその断片であって、該配列中、Ｘ５が、ＶもしくはＡからなる群から選択したアミノ酸であり、Ｘ７が、Ｇ、Ｉ、もしくはＨからなる群から選択したアミノ酸であり、Ｘ１１が、Ｅ、Ｎ、もしくはＱからなる群から選択したアミノ酸であり、Ｘ１８が、ＤもしくはＮからなる群から選択したアミノ酸であり、Ｘ２１が、Ｒ、Ｄ、もしくはＮからなる群から選択したアミノ酸であり、Ｘ２５が、Ｑ、Ｄ、もしくはＥからなる群から選択したアミノ酸であり、Ｘ２８が、ＥもしくはＮからなる群から選択したアミノ酸であり、Ｘ３１が、ＬもしくはＶからなる群から選択したアミノ酸であり、Ｘ４５が、ＫもしくはＱからなる群から選択したアミノ酸であり、Ｘ４８が、ＦもしくはＶからなる群から選択したアミノ酸であり、Ｘ５１が、ＤもしくはＮからなる群から選択したアミノ酸であり、Ｘ５４が、ＥもしくはＱからなる群から選択したアミノ酸であり、Ｘ５７が、ＳもしくはＱからなる群から選択したアミノ酸であり、Ｘ６０が、ＦもしくはＷからなる群から選択したアミノ酸であり、Ｘ６３が、ＩもしくはＶからなる群から選択したアミノ酸であり、Ｘ６６が、ＱもしくはＤからなる群から選択したアミノ酸である、前記配列もしくはその断片、
（ｉｉ）ＳＥＱ  ＩＤ  ＮＯ：６の配列もしくはその断片、
（ｉｉｉ）ＳＥＱ  ＩＤ  ＮＯ：７の配列もしくはその断片であって、該配列中、Ｘ５が、ＳもしくはＱからなる群から選択したアミノ酸であり、Ｘ９が、ＦもしくはＹからなる群から選択したアミノ酸であり、Ｘ１３が、ＲもしくはＨからなる群から選択したアミノ酸であり、Ｘ１６が、ＷもしくはＹからなる群から選択したアミノ酸であり、Ｘ１８が、ＳもしくはＱからなる群から選択したアミノ酸であり、Ｘ２２が、ＫもしくはＨからなる群から選択したアミノ酸であり、Ｘ２７が、ＮもしくはＤからなる群から選択したアミノ酸である、前記配列もしくはその断片、
（ｉｖ）ＳＥＱ  ＩＤ  ＮＯ：１の配列もしくはその断片であって、該配列中、Ｘ９が、Ｉ、Ｐ、もしくはＨからなる群から選択したアミノ酸であり、Ｘ１７が、Ｉ、Ｗ、もしくはＹからなる群から選択したアミノ酸であり、Ｘ２１が、Ｒ、Ｄ、もしくはＮからなる群から選択したアミノ酸であり、Ｘ２８が、ＥもしくはＮからなる群から選択したアミノ酸であり、Ｘ３１が、ＬもしくはＶからなる群から選択したアミノ酸である、前記配列もしくはその断片、
（ｖ）ＳＥＱ  ＩＤ  ＮＯ：２の配列もしくはその断片であって、該配列中、Ｘ３が、Ｌ、Ｖ、もしくはＡからなる群から選択したアミノ酸であり、Ｘ７が、Ｋ、Ｎ、もしくはＱからなる群から選択したアミノ酸であり、Ｘ１１が、Ｒ、Ｄ、もしくはＮからなる群から選択したアミノ酸であり、Ｘ１５が、Ｅ、Ｎ、もしくはＱからなる群から選択したアミノ酸である、前記配列もしくはその断片、
（ｖｉ）ＳＥＱ  ＩＤ  ＮＯ：４の配列もしくはその断片であって、該配列中、Ｘ６が、ＫもしくはＱからなる群から選択したアミノ酸であり、Ｘ９が、ＦもしくはＶからなる群から選択したアミノ酸であり、Ｘ１２が、ＤもしくはＮからなる群から選択したアミノ酸であり、Ｘ１５が、ＥもしくはＱからなる群から選択したアミノ酸であり、Ｘ１８が、ＳもしくはＱからなる群から選択したアミノ酸であり、Ｘ２１が、ＦもしくはＷからなる群から選択したアミノ酸であり、Ｘ２４が、ＩもしくはＶからなる群から選択したアミノ酸であり、Ｘ２７が、ＱもしくはＤからなる群から選択したアミノ酸である、前記配列もしくはその断片、
（ｖｉｉ）ＳＥＱ  ＩＤ  ＮＯ：５の配列もしくはその断片であって、該配列中、Ｘ２が、ＩもしくはＶからなる群から選択したアミノ酸であり、Ｘ１０が、ＳもしくはＹからなる群から選択したアミノ酸であり、Ｘ２３が、ＥもしくはＮからなる群から選択したアミノ酸である、前記配列もしくはその断片、
（ｖｉｉｉ）ＳＥＱ  ＩＤ  ＮＯ：８の配列もしくはその断片であって、該配列中、Ｘ１０が、Ｖ、Ｌ、もしくはＩからなる群から選択したアミノ酸であり、Ｘ１１が、ＡもしくはＬからなる群から選択したアミノ酸である、前記配列もしくはその断片、または
（ｉｘ）ＳＥＱ  ＩＤ  ＮＯ：９の配列もしくはその断片であって、該配列中、Ｘ５が、ＶもしくはＡからなる群から選択したアミノ酸であり、Ｘ７が、Ｇ、Ｉ、もしくはＨからなる群から選択したアミノ酸であり、Ｘ１１が、Ｅ、Ｎ、もしくはＱからなる群から選択したアミノ酸であり、Ｘ２１が、Ｒ、Ｄ、もしくはＮからなる群から選択したアミノ酸であり、Ｘ２５が、Ｑ、Ｄ、もしくはＥからなる群から選択したアミノ酸であり、Ｘ２８が、ＥもしくはＮからなる群から選択したアミノ酸であり、Ｘ３１が、ＬもしくはＶからなる群から選択したアミノ酸である、前記配列もしくはその断片、
を含む、前記組成物。
【請求項２】
前記ペプチドの１つまたは複数がリガンドにコンジュゲートしている、請求項１に記載の組成物。
【請求項３】
前記ペプチドの１つまたは複数が、ビオチン、アビジン、ストレプトアビジン、ニュートラアビジン、血清アルブミン、キーホールリンペットヘモシアニン（ＫＬＨ）、酵素、または金属ナノ物質にコンジュゲートしている、請求項１〜２のいずれか一項に記載の組成物。
【請求項４】
前記ペプチド集団が、任意で金属ナノ層を通じて、固体支持体に固定化されている、請求項１〜３のいずれか一項に記載の組成物。
【請求項５】
前記固体支持体が、複数のビーズ、ラテラルフロー免疫アッセイ用器具の流路、マイクロタイタープレートのウェル、またはローターの流路である、請求項４に記載の組成物。
【請求項６】
前記断片が、少なくとも１５、２０、２５、３０、３５、４０、４５、５０、５５、または６０アミノ酸長である、請求項１〜５のいずれか一項に記載の組成物。
【請求項７】
アナプラズマ菌種、エーリキア菌種、および／またはボレリア菌種に由来する１つまたは複数の抗原ペプチドを更に含む、請求項１〜６のいずれか一項に記載の組成物。
【請求項８】
請求項１に記載のペプチド集団を少なくとも２種類含む、請求項１〜７のいずれか一項に記載の組成物。
【請求項９】
前記ペプチド集団の少なくとも１つがＳＥＱ  ＩＤ  ＮＯ：３によって定義される、請求項８に記載の組成物。
【請求項１０】
ＳＥＱ  ＩＤ  ＮＯ：７によって定義される第２の単離ペプチド集団を含む、請求項９に記載の組成物。
【請求項１１】
前記組成物が第３の単離ペプチド集団を更に含み、その各ペプチドがＳＥＱ  ＩＤ  ＮＯ：６の配列を含む、請求項１０に記載の組成物。
【請求項１２】
前記組成物が、第２の単離ペプチド集団を更に含み、その各ペプチドがＳＥＱ  ＩＤ  ＮＯ：６の配列を含む、請求項９に記載の組成物。
【請求項１３】
サンプルにおける、アナプラズマ抗原のエピトープに対する抗体の検出方法であって、
サンプルを請求項１〜１２のいずれか一項に記載の組成物と接触させる工程と、
該組成物中の１つまたは複数のペプチドを含む抗体・ペプチド複合体の形成を検出する工程とを含み、該複合体の形成によって、アナプラズマ抗原のエピトープに対する抗体が前記サンプル中に存在することが示される、前記方法。
【請求項１４】
前記アナプラズマ抗原が、アナプラズマ・ファゴサイトフィラム（Ａｎａｐｌａｓｍａ  ｐｈａｇｏｃｙｔｏｐｈｉｌｕｍ）、アナプラズマ・プラティス（Ａｎａｐｌａｓｍａ  ｐｌａｔｙｓ）、またはアナプラズマ・マージナーレ（Ａｎａｐｌａｓｍａ  ｍａｒｇｉｎａｌｅ）に由来する、請求項１３に記載の方法。
【請求項１５】
単離ペプチドの前記組成物が、任意で金属ナノ層を通じて、固体支持体に固定化されている、請求項１３〜１４のいずれか一項に記載の方法。
【請求項１６】
前記固体支持体が、複数のビーズ、ラテラルフローアッセイ用器具の流路、マイクロタイタープレートのウェル、またはローターの流路である、請求項１５に記載の方法。
【請求項１７】
前記検出工程が、（ｉ）ＥＬＩＳＡアッセイを行うこと、（ｉｉ）ラテラルフローアッセイを行うこと、（ｉｉｉ）凝集アッセイを行うこと、（ｉｖ）ウエスタンブロット、スロットブロット、もしくはドットブロットを行うこと、（ｖ）波長シフトアッセイを行うこと、（ｖｉ）間接蛍光抗体検査を行うこと、または（ｖｉｉ）前記サンプルを分析もしくは遠心分離ローターにかけることを含む、請求項１３〜１６のいずれか一項に記載の方法。
【請求項１８】
前記サンプルが、ヒト、イヌ、またはネコの対象から採ったものである、請求項１３〜１７のいずれか一項に記載の方法。
【請求項１９】
前記サンプルが、血液、血清、血漿、脳脊髄液、組織抽出液、尿、または唾液サンプルである、請求項１３〜１８のいずれか一項に記載の方法。
【請求項２０】
非ヒト対象におけるアナプラズマ病の診断方法であって、
非ヒト対象から採ったサンプルを、請求項１〜１２のいずれか一項に記載の組成物と接触させる工程と、
該組成物中の１つまたは複数のペプチドを含む抗体・ペプチド複合体の形成を検出する工程と、
を含み、
該複合体の形成によって、前記非ヒト対象がアナプラズマ病であることが示される、前記方法。
【請求項２１】
前記非ヒト対象が、イヌ、またはネコである、請求項２０に記載の方法。
【請求項２２】
ヒト対象におけるアナプラズマ病を検査するための方法であって、
ヒト対象から採ったサンプルを、請求項１〜１２のいずれか一項に記載の組成物と接触させる工程と、
該組成物中の１つまたは複数のペプチドを含む抗体・ペプチド複合体の形成を検出する工程と、
を含み、
該複合体の形成によって、前記ヒト対象がアナプラズマ病であることが示される、前記方法。
【請求項２３】
請求項１〜１２のいずれか一項に記載の組成物と、該組成物中の１つまたは複数のペプチドのエピトープを認識する抗体に結合できる標識試薬とを含むキット。
【請求項２４】
前記組成物中の前記ペプチドが、任意で金属ナノ層を通じて、固体支持体に結合または固定化されている、請求項２３に記載のキット。
【請求項２５】
前記標識試薬が、検出可能な標識にコンジュゲートしている抗ヒト、抗イヌ、または抗ネコＩｇＧまたはＩｇＭ抗体である、請求項２３に記載のキット。
【請求項２６】
前記検出可能な標識が、酵素、金属ナノ粒子、金属ナノシェル、金属ナノ層、フルオロフォア、または着色ラテックス粒子である、請求項２５に記載のキット。
【請求項２７】
前記標識試薬が、検出可能な標識にコンジュゲートしているプロテインＡ、プロテインＧ、および／またはプロテインＡ／Ｇ融合タンパク質である、請求項２３に記載のキット。
【請求項２８】
前記検出可能な標識が、酵素、金属ナノ粒子、金属ナノシェル、金属ナノ層、フルオロフォア、または着色ラテックス粒子である、請求項２７に記載のキット。
【請求項２９】
対象が感染しているアナプラズマの菌種の同定方法であって、
（ａ）対象から採ったサンプルを第１の単離ペプチド集団と第２の単離ペプチド集団とに接触させる工程であって、第１の単離ペプチド集団が、複数のアナプラズマの菌種に由来する抗原に対する抗体に特異的に結合し、第２の単離ペプチド集団が、単一のアナプラズマの菌種に由来する抗原に対する抗体に特異的に結合する、工程と、
（ｂ）第１の集団中の１つまたは複数のペプチドを含む第１の抗体・ペプチド複合体の形成を検出する工程と、
（ｃ）第２の集団中の１つまたは複数のペプチドを含む第２の抗体・ペプチド複合体形成を検出する工程とを含み、第１の抗体・ペプチド複合体と第２の抗体・ペプチド複合体の両方の形成によって、第２の単離ペプチド集団が特異的に結合する前記アナプラズマの菌種に前記対象が感染していることが示される、前記方法。
【請求項３０】
第１の単離ペプチド集団が、Ａ．ファゴサイトフィラムおよびＡ．プラティスに由来する抗原に対する抗体に特異的に結合する、請求項２９に記載の方法。
【請求項３１】
第１の単離ペプチド集団がＳＥＱ  ＩＤ  ＮＯ：３によって定義される、請求項３０に記載の方法。
【請求項３２】
第２の単離ペプチド集団が、Ａ．プラティスに由来する抗原に対する抗体に特異的に結合する、請求項２９に記載の方法。
【請求項３３】
第２の単離ペプチド集団がＳＥＱ  ＩＤ  ＮＯ：４によって定義される、請求項３２に記載の方法。
【請求項３４】
第１の単離ペプチド集団がＳＥＱ  ＩＤ  ＮＯ：３によって定義され、第２の単離ペプチド集団がＳＥＱ  ＩＤ  ＮＯ：４によって定義され、第１の抗体・ペプチド複合体と第２の抗体・ペプチド複合体の両方の形成によって、前記対象がＡ．プラティスに感染していることが示される、請求項２９〜３３のいずれか一項に記載の方法。
【請求項３５】
第１の単離ペプチド集団がＳＥＱ  ＩＤ  ＮＯ：３によって定義され、第２の単離ペプチド集団がＳＥＱ  ＩＤ  ＮＯ：４によって定義され、第１の抗体・ペプチド複合体は形成されるが、第２の抗体・ペプチド複合体は形成されないことによって、前記対象がＡ．ファゴサイトフィラムに感染していることが示される、請求項２９〜３３のいずれか一項に記載の方法。
【請求項３６】
対象が感染しているアナプラズマの菌種の同定方法であって、
（ａ）対象から採ったサンプルを、第１の単離ペプチド集団と、単一のアナプラズマ菌種の細胞抽出物とに接触させる工程であって、第１の単離ペプチド集団が、複数のアナプラズマの菌種に由来する抗原に対する抗体に特異的に結合する、工程と、
（ｂ）前記第１の集団中の１つまたは複数のペプチドを含む第１の抗体・ペプチド複合体の形成を検出する工程と、
（ｃ）前記細胞抽出物中の１つまたは複数の成分を含む抗体・細胞抽出物複合体の形成を検出する工程とを含み、第１の抗体・ペプチド複合体と該抗体・細胞抽出物複合体の両方の形成によって、該細胞抽出物を産生したアナプラズマの菌種に前記対象が感染していることが示される、前記方法。
【請求項３７】
第１の単離ペプチド集団が、Ａ．ファゴサイトフィラムとＡ．プラティスに由来する抗原に対する抗体に特異的に結合する、請求項３６に記載の方法。
【請求項３８】
第１の単離ペプチド集団がＳＥＱ  ＩＤ  ＮＯ：３によって定義される、請求項３７に記載の方法。
【請求項３９】
前記細胞抽出物がＡ．ファゴサイトフィラムに由来するものである、請求項３６〜３８のいずれか一項に記載の方法。
【手続補正２】
【補正対象書類名】明細書
【補正対象項目名】００３１
【補正方法】変更
【補正の内容】
【００３１】
[本発明1001]
単離ペプチドの集団を含む組成物であって、該集団が3種類以上のペプチドを含み、該集団内の各ペプチドが、
（ｉ）Ａｂａｘｉｓ  ＩＤ2（ＳＥＱ  ＩＤ  ＮＯ：1）の配列もしくはその断片であって、該配列中、Ｘ9が、Ｉ、Ｐ、もしくはＨからなる群から選択したアミノ酸であり、Ｘ17が、Ｉ、Ｗ、もしくはＹからなる群から選択したアミノ酸であり、Ｘ21が、Ｒ、Ｄ、もしくはＮからなる群から選択したアミノ酸であり、Ｘ28が、ＥもしくはＮからなる群から選択したアミノ酸であり、Ｘ31が、ＬもしくはＶからなる群から選択したアミノ酸である、前記配列もしくはその断片、
（ｉｉ）Ａｂａｘｉｓ  ＩＤ3（ＳＥＱ  ＩＤ  ＮＯ：2）の配列もしくはその断片であって、該配列中、Ｘ3が、Ｌ、Ｖ、もしくはＡからなる群から選択したアミノ酸であり、Ｘ7が、Ｋ、Ｎ、もしくはＱからなる群から選択したアミノ酸であり、Ｘ11が、Ｒ、Ｄ、もしくはＮからなる群から選択したアミノ酸であり、Ｘ15が、Ｅ、Ｎ、もしくはＱからなる群から選択したアミノ酸である、前記配列もしくはその断片、
（ｉｉｉ）ＡＰＬ−ＩＤ1（ＳＥＱ  ＩＤ  ＮＯ：3）の配列もしくはその断片であって、該配列中、Ｘ5が、ＶもしくはＡからなる群から選択したアミノ酸であり、Ｘ7が、Ｇ、Ｉ、もしくはＨからなる群から選択したアミノ酸であり、Ｘ11が、Ｅ、Ｎ、もしくはＱからなる群から選択したアミノ酸であり、Ｘ18が、ＤもしくはＮからなる群から選択したアミノ酸であり、Ｘ21が、Ｒ、Ｄ、もしくはＮからなる群から選択したアミノ酸であり、Ｘ25が、Ｑ、Ｄ、もしくはＥからなる群から選択したアミノ酸であり、Ｘ28が、ＥもしくはＮからなる群から選択したアミノ酸であり、Ｘ31が、ＬもしくはＶからなる群から選択したアミノ酸であり、Ｘ45が、ＫもしくはＱからなる群から選択したアミノ酸であり、Ｘ48が、ＦもしくはＶからなる群から選択したアミノ酸であり、Ｘ51が、ＤもしくはＮからなる群から選択したアミノ酸であり、Ｘ54が、ＥもしくはＱからなる群から選択したアミノ酸であり、Ｘ57が、ＳもしくはＱからなる群から選択したアミノ酸であり、Ｘ60が、ＦもしくはＷからなる群から選択したアミノ酸であり、Ｘ63が、ＩもしくはＶからなる群から選択したアミノ酸であり、Ｘ66が、ＱもしくはＤからなる群から選択したアミノ酸である、前記配列もしくはその断片、
（ｉｖ）ＡＰＬ−ＩＤ2（ＳＥＱ  ＩＤ  ＮＯ：4）の配列もしくはその断片であって、該配列中、Ｘ6が、ＫもしくはＱからなる群から選択したアミノ酸であり、Ｘ9が、ＦもしくはＶからなる群から選択したアミノ酸であり、Ｘ12が、ＤもしくはＮからなる群から選択したアミノ酸であり、Ｘ15が、ＥもしくはＱからなる群から選択したアミノ酸であり、Ｘ18が、ＳもしくはＱからなる群から選択したアミノ酸であり、Ｘ21が、ＦもしくはＷからなる群から選択したアミノ酸であり、Ｘ24が、ＩもしくはＶからなる群から選択したアミノ酸であり、Ｘ27が、ＱもしくはＤからなる群から選択したアミノ酸である、前記配列もしくはその断片、
（ｖ）ＡＰＬ−ＩＤ3（ＳＥＱ  ＩＤ  ＮＯ：5）の配列もしくはその断片であって、該配列中、Ｘ2が、ＩもしくはＶからなる群から選択したアミノ酸であり、Ｘ10が、ＳもしくはＹからなる群から選択したアミノ酸であり、Ｘ23が、ＥもしくはＮからなる群から選択したアミノ酸である、前記配列もしくはその断片、
（ｖｉ）ＡＰＬ−ＩＤ5．1（ＳＥＱ  ＩＤ  ＮＯ：6）の配列もしくはその断片、
（ｖｉｉ）ＡＰＬ−ＩＤ6（ＳＥＱ  ＩＤ  ＮＯ：7）の配列もしくはその断片であって、該配列中、Ｘ5が、ＳもしくはＱからなる群から選択したアミノ酸であり、Ｘ9が、ＦもしくはＹからなる群から選択したアミノ酸であり、Ｘ13が、ＲもしくはＨからなる群から選択したアミノ酸であり、Ｘ16が、ＷもしくはＹからなる群から選択したアミノ酸であり、Ｘ18が、ＳもしくはＱからなる群から選択したアミノ酸であり、Ｘ22が、ＫもしくはＨからなる群から選択したアミノ酸であり、Ｘ27が、ＮもしくはＤからなる群から選択したアミノ酸である、前記配列もしくはその断片、
（ｖｉｉｉ）ＡＰＬ−ＩＤ7（ＳＥＱ  ＩＤ  ＮＯ：8）の配列もしくはその断片であって、該配列中、Ｘ10が、Ｖ、Ｌ、もしくはＩからなる群から選択したアミノ酸であり、Ｘ11が、ＡもしくはＬからなる群から選択したアミノ酸である、前記配列もしくはその断片、または
（ｉｘ）ＡＰＩＤ2−1（ＳＥＱ  ＩＤ  ＮＯ：9）の配列もしくはその断片であって、該配列中、Ｘ5が、ＶもしくはＡからなる群から選択したアミノ酸であり、Ｘ7が、Ｇ、Ｉ、もしくはＨからなる群から選択したアミノ酸であり、Ｘ11が、Ｅ、Ｎ、もしくはＱからなる群から選択したアミノ酸であり、Ｘ21が、Ｒ、Ｄ、もしくはＮからなる群から選択したアミノ酸であり、Ｘ25が、Ｑ、Ｄ、もしくはＥからなる群から選択したアミノ酸であり、Ｘ28が、ＥもしくはＮからなる群から選択したアミノ酸であり、Ｘ31が、ＬもしくはＶからなる群から選択したアミノ酸である、前記配列もしくはその断片、
を含む、前記組成物。
[本発明1002]
前記ペプチドの1つまたは複数がリガンドにコンジュゲートしている、本発明1001の組成物。
[本発明1003]
前記ペプチドの1つまたは複数が、ビオチン、アビジン、ストレプトアビジン、ニュートラアビジン、血清アルブミン、キーホールリンペットヘモシアニン（ＫＬＨ）、酵素、または金属ナノ物質にコンジュゲートしている、本発明1001〜1002のいずれかの組成物。
[本発明1004]
前記ペプチド集団が、任意で金属ナノ層を通じて、固体支持体に固定化されている、本発明1001〜1003のいずれかの組成物。
[本発明1005]
前記固体支持体が、複数のビーズ、ラテラルフロー免疫アッセイ用器具の流路、マイクロタイタープレートのウェル、またはローターの流路である、本発明1004の組成物。
[本発明1006]
前記断片が、少なくとも15、20、25、30、35、40、45、50、55、または60アミノ酸長である、本発明1001〜1005のいずれかの組成物。
[本発明1007]
アナプラズマ菌種、エーリキア菌種、および／またはボレリア菌種に由来する1つまたは複数の抗原ペプチドを更に含む、本発明1001〜1006のいずれかの組成物。
[本発明1008]
本発明1001のペプチド集団を少なくとも2種類含む、本発明1001〜1007のいずれかの組成物。
[本発明1009]
前記ペプチド集団の少なくとも1つがＳＥＱ  ＩＤ  ＮＯ：3によって定義される、本発明1008の組成物。
[本発明1010]
ＳＥＱ  ＩＤ  ＮＯ：7によって定義される第2の単離ペプチド集団を更に含む、本発明1009の組成物。
[本発明1011]
前記組成物が第3の単離ペプチド集団を更に含み、その各ペプチドがＳＥＱ  ＩＤ  ＮＯ：6の配列を含む、本発明1010の組成物。
[本発明1012]
前記組成物が、第2の単離ペプチド集団を更に含み、その各ペプチドがＳＥＱ  ＩＤ  ＮＯ：6の配列を含む、本発明1009の組成物。
[本発明1013]
サンプルにおける、アナプラズマ抗原のエピトープに対する抗体の検出方法であって、
サンプルを本発明1001〜1012のいずれかの組成物と接触させる工程と、
該組成物中の1つまたは複数のペプチドを含む抗体・ペプチド複合体の形成を検出する工程とを含み、該複合体の形成によって、アナプラズマ抗原のエピトープに対する抗体が前記サンプル中に存在することが示される、前記方法。
[本発明1014]
前記アナプラズマ抗原が、アナプラズマ・ファゴサイトフィラム（Ａｎａｐｌａｓｍａ  ｐｈａｇｏｃｙｔｏｐｈｉｌｕｍ）、アナプラズマ・プラティス（Ａｎａｐｌａｓｍａ  ｐｌａｔｙｓ）、またはアナプラズマ・マージナーレ（Ａｎａｐｌａｓｍａ  ｍａｒｇｉｎａｌｅ）に由来する、本発明1013の方法。
[本発明1015]
単離ペプチドの前記組成物が、任意で金属ナノ層を通じて、固体支持体に固定化されている、本発明1013〜1014のいずれかの方法。
[本発明1016]
前記固体支持体が、複数のビーズ、ラテラルフローアッセイ用器具の流路、マイクロタイタープレートのウェル、またはローターの流路である、本発明1015の方法。
[本発明1017]
前記検出工程が、（ｉ）ＥＬＩＳＡアッセイを行うこと、（ｉｉ）ラテラルフローアッセイを行うこと、（ｉｉｉ）凝集アッセイを行うこと、（ｉｖ）ウエスタンブロット、スロットブロット、もしくはドットブロットを行うこと、（ｖ）波長シフトアッセイを行うこと、（ｖｉ）間接蛍光抗体検査を行うこと、または（ｖｉｉ）前記サンプルを分析もしくは遠心分離ローターにかけることを含む、本発明1013〜1016のいずれかの方法。
[本発明1018]
前記サンプルが、ヒト、イヌ、またはネコの対象から採ったものである、本発明1013〜1017のいずれかの方法。
[本発明1019]
前記サンプルが、血液、血清、血漿、脳脊髄液、組織抽出液、尿、または唾液サンプルである、本発明1013〜1018のいずれかの方法。
[本発明1020]
対象におけるアナプラズマ病の診断方法であって、
対象から採ったサンプルを、本発明1001〜1012のいずれかの組成物と接触させる工程と、
該組成物中の1つまたは複数のペプチドを含む抗体・ペプチド複合体の形成を検出する工程と、
を含み、
該複合体の形成によって、前記対象がアナプラズマ病であることが示される、前記方法。
[本発明1021]
前記対象がヒト、イヌ、またはネコである、本発明1020の方法。
[本発明1022]
本発明1001〜1012のいずれかの組成物と、該組成物中の1つまたは複数のペプチドのエピトープを認識する抗体に結合できる標識試薬とを含むキット。
[本発明1023]
前記組成物中の前記ペプチドが、任意で金属ナノ層を通じて、固体支持体に結合または固定化されている、本発明1022のキット。
[本発明1024]
前記標識試薬が、検出可能な標識にコンジュゲートしている抗ヒト、抗イヌ、または抗ネコＩｇＧまたはＩｇＭ抗体である、本発明1022のキット。
[本発明1025]
前記検出可能な標識が、酵素、金属ナノ粒子、金属ナノシェル、金属ナノ層、フルオロフォア、または着色ラテックス粒子である、本発明1024のキット。
[本発明1026]
前記標識試薬が、検出可能な標識にコンジュゲートしているプロテインＡ、プロテインＧ、および／またはプロテインＡ／Ｇ融合タンパク質である、本発明1022のキット。
[本発明1027]
前記検出可能な標識が、酵素、金属ナノ粒子、金属ナノシェル、金属ナノ層、フルオロフォア、または着色ラテックス粒子である、本発明1026のキット。
[本発明1028]
対象が感染しているアナプラズマの菌種の同定方法であって、
（ａ）対象から採ったサンプルを第1の単離ペプチド集団と第2の単離ペプチド集団とに接触させる工程であって、第1の単離ペプチド集団が、複数のアナプラズマの菌種に由来する抗原に対する抗体に特異的に結合し、第2の単離ペプチド集団が、単一のアナプラズマの菌種に由来する抗原に対する抗体に特異的に結合する、工程と、
（ｂ）第1の集団中の1つまたは複数のペプチドを含む第1の抗体・ペプチド複合体の形成を検出する工程と、
（ｃ）第2の集団中の1つまたは複数のペプチドを含む第2の抗体・ペプチド複合体形成を検出する工程とを含み、第1の抗体・ペプチド複合体と第2の抗体・ペプチド複合体の両方の形成によって、第2の単離ペプチド集団が特異的に結合する前記アナプラズマの菌種に前記対象が感染していることが示される、前記方法。
[本発明1029]
第1の単離ペプチド集団が、Ａ．ファゴサイトフィラムおよびＡ．プラティスに由来する抗原に対する抗体に特異的に結合する、本発明1028の方法。
[本発明1030]
第1の単離ペプチド集団がＳＥＱ  ＩＤ  ＮＯ：3によって定義される、本発明1029の方法。
[本発明1031]
第2の単離ペプチド集団が、Ａ．プラティスに由来する抗原に対する抗体に特異的に結合する、本発明1028の方法。
[本発明1032]
第2の単離ペプチド集団がＳＥＱ  ＩＤ  ＮＯ：4によって定義される、本発明1031の方法。
[本発明1033]
第1の単離ペプチド集団がＳＥＱ  ＩＤ  ＮＯ：3によって定義され、第2の単離ペプチド集団がＳＥＱ  ＩＤ  ＮＯ：4によって定義され、第1の抗体・ペプチド複合体と第2の抗体・ペプチド複合体の両方の形成によって、前記対象がＡ．プラティスに感染していることが示される、本発明1028〜1032のいずれかの方法。
[本発明1034]
第1の単離ペプチド集団がＳＥＱ  ＩＤ  ＮＯ：3によって定義され、第2の単離ペプチド集団がＳＥＱ  ＩＤ  ＮＯ：4によって定義され、第1の抗体・ペプチド複合体は形成されるが、第2の抗体・ペプチド複合体は形成されないことによって、前記対象がＡ．ファゴサイトフィラムに感染していることが示される、本発明1028〜1032のいずれかの方法。
[本発明1035]
対象が感染しているアナプラズマの菌種の同定方法であって、
（ａ）対象から採ったサンプルを、第1の単離ペプチド集団と、単一のアナプラズマ菌種の細胞抽出物とに接触させる工程であって、第1の単離ペプチド集団が、複数のアナプラズマの菌種に由来する抗原に対する抗体に特異的に結合する、工程と、
（ｂ）前記第1の集団中の1つまたは複数のペプチドを含む第1の抗体・ペプチド複合体の形成を検出する工程と、
（ｃ）前記細胞抽出物中の1つまたは複数の成分を含む抗体・細胞抽出物複合体の形成を検出する工程とを含み、第1の抗体・ペプチド複合体と該抗体・細胞抽出物複合体の両方の形成によって、該細胞抽出物を産生したアナプラズマの菌種に前記対象が感染していることが示される、前記方法。
[本発明1036]
第1の単離ペプチド集団が、Ａ．ファゴサイトフィラムとＡ．プラティスに由来する抗原に対する抗体に特異的に結合する、本発明1035の方法。
[本発明1037]
第1の単離ペプチド集団がＳＥＱ  ＩＤ  ＮＯ：3によって定義される、本発明1036の方法。
[本発明1038]
前記細胞抽出物がＡ．ファゴサイトフィラムに由来するものである、本発明1035〜1037のいずれかの方法。
本発明の更なる態様と実施形態は、下記の詳細な説明から明らかになるであろう。